(57)【要約】【課題】携帯電話端末向けの文字メッセージの生成装置及びその作成方法を提供する。【解決手段】携帯電話端末向けの文字メッセージサービス（ＳＭＳまたはＬＭＳ）は、属性情報（文字色、背景色、背景画面、文字ブリンク等）を含む。このため、本発明よる文字メッセージの生成装置及びその作成方法は、文字色、背景色、背景画面、文字ブリンク等を自由に選択することができる属性情報をさらに含んでいる。また、従来の携帯電話のＳＭＳとの互換性を維持するために、ＡＳＣIIコードの非印刷コードを用いる。【選択図】図３
2005507601.tif 000002
【特許請求の範囲】
【請求項１】
携帯電話端末向けの文字メッセージに属性情報（文字色、背景色、ブリンク）を含める文字メッセージの生成装置において、
文字入力手段から出力されて入力された文字コードを組み合わせて第１のメッセージ信号を生成するメッセージ生成手段と、
文字色に割り当てられている複数の色相値のうちユーザが選択した一つの色相値を文字色属性値として選択する文字色選択手段と、
背景色に割り当てられている複数の色相値のうちユーザが選択した一つの色相値を背景色属性値として選択する背景色選択手段と、
複数のブリンクモードのうちユーザが選択した一つのブリンクモードをブリンク属性値として選択するブリンク選択手段と、
前記文字色選択手段、背景色選択手段、ブリンク選択手段から各々出力され入力された属性値を組み合わせて第２のメッセージ信号を生成するメッセージ属性生成手段と、
前記第１のメッセージと第２のメッセージの信号を伝送する伝送手段とを備える携帯電話端末向けの文字メッセージの生成装置。
【請求項２】
前記第１のメッセージ信号が、ＩＤまたは固有番号を含むヘッダ部と、ＡＳＣII値からなるメッセージデータ部とからなり、前記第２のメッセージ信号が、ＩＤまたは固有番号を含むヘッダ部と、文字色／背景色／ブリンクの属性情報部とからなることを特徴とする請求項１に記載の携帯電話端末向けの文字メッセージの生成装置。
【請求項３】
前記ブリンクモードが、ブリンクしないモードと、文字メッセージの奇数番目字でブリンクするモードと、文字メッセージの偶数番目でブリンクするモードとからなることを特徴とする請求項１に記載の携帯電話端末向けの文字メッセージの生成装置。
【請求項４】
複数の色相値のうち一つを選択するための前記文字色選択手段と前記背景色選択手段が、携帯電話端末のスクロールボタンを含んでなることを特徴とする請求項１に記載の携帯電話端末向けの文字メッセージの生成装置。
【請求項５】
複数のブリンクモードのうち一つを選択するための前記ブリンク選択手段が、携帯電話端末の左右移動ボタンを含んでなることを特徴とする請求項１に記載の携帯電話端末向けの文字メッセージの生成装置。
【請求項６】
前記第１のメッセージと第２のメッセージが、一つのメッセージ信号内に含まれていることを特徴とする請求項１に記載の携帯電話端末向けの文字メッセージの生成装置。
【請求項７】
前記伝送手段が、第１のメッセージ信号を伝送してから第２のメッセージ信号を伝送することを特徴とする請求項１に記載の携帯電話端末向けの文字メッセージの生成装置。
【請求項８】
前記伝送手段が、第１のメッセージと第２のメッセージの信号を同時に伝送することを特徴とする請求項１に記載の携帯電話端末向けの文字メッセージの生成装置。
【請求項９】
前記背景色選択手段が、メモリに格納された複数の背景画面のインデックス値のうちユーザが選択した一つの背景画面のインデックス値を背景画面の属性値として選択する背景画面選択手段を備えることを特徴とする請求項１に記載の携帯電話端末向けの文字メッセージの生成装置。
【請求項１０】
携帯電話端末向けの文字メッセージサービスにおいて文字情報と属性情報（文字色、背景色、背景画面、文字ブリンク）を含める文字メッセージデータの作成方法において、
ユーザが入力した文字列により文字情報を形成するステップと、
前記文字列に次いで属性情報の開始を示す識別子を挿入するステップと、
前記識別子に次いで ＡＳＣIIコードの非印刷コード領域から選択される属性値（文字ブリンク値と文字色値）を挿入するステップとを含むことを特徴とする携帯電話端末向けの文字メッセージの作成方法。
【請求項１１】
前記文字情報に複数の背景画面の一つを選択するインデックス値を挿入するステップをさらに含むことを特徴とする請求項１０に記載の携帯電話端末向けの文字メッセージの作成方法。
【請求項１２】
前記属性値が、１バイトのデータ列のうち上位３ビットを除いた残りの５ビットに割り当てられることを特徴とする請求項１０に記載の携帯電話端末向けの文字メッセージの作成方法。
【請求項１３】
前記属性値のうち文字ブリンク値が１ビットで、文字色値が２ビットであることを特徴とする請求項１０または１２に記載の携帯電話端末向けの文字メッセージの作成方法。
【発明の詳細な説明】
【技術分野】
【０００１】
本発明は、携帯電話端末向けの文字メッセージサービスに関し、より詳しくは、携帯電話端末向けの文字メッセージに文字色、背景画面、及び文字ブリンク等を含めて文字メッセージを生成する装置、及び文字メッセージの作成方法に関する。
【背景技術】
【０００２】
従来、携帯電話端末機器では、文字メッセージサービスのＳＭＳ（short message service）とＬＭＳ（long message service）の交換が盛んに行われている。このようなＳＭＳやＬＭＳ等の文字メッセージサービスとは、携帯電話端末、インターネット、ＰＣ通信等で個人が作成した文字と数字の組み合わせメッセージまたは事業者が提供する様々な情報を携帯電話を通じて伝達するサービスをいう。このような文字メッセージサービスは、残高変動、入出金内訳、延滞情報、新商品紹介等の金融業務、職員間の通信、注文／配送情報、イベント通報、顧客管理、社員呼出し等の企業業務、公課金納付案内、訓練案内、各種行使案内等の役所業務、その他の電子商取引、競売、コミュニティー活動等に有用に用いられている。また、最近、ＳＭＳゲートウェイサービスまたはＡＳＰサービス事業者によりインターネット網または企業の専用回線を介したＳＭＳサービス事業も行われている。
一般に、携帯電話端末では、図１に示すような方式によりメッセージを伝送している。（イ）のように、メッセージ管理メニューに入ると、送信メッセージメニューが表示され、これを選択すると、（ロ）のように、メールの作成、携帯電話呼出し、送信トレイ管理等のメニューが表示され、これらのうちメールの作成を選択すると、（ハ）のように新規作成、開く、伝送等のメニューが表示される。新規作成においてユーザがキーパッドを用いてメッセージを作成して伝送すると、このメッセージは文字メッセージシステムを通じて受信人の携帯電話端末に受信される。
【発明の開示】
【発明が解決しようとする課題】
【０００３】
しかし、従来の携帯電話端末向けの文字メッセージは、単色であるだけでなく、文字ブリンク等の機能がなく、需要者、特に若者の需要者に興味を与えていない。
本発明は、上記問題点に鑑みなされたものであり、従来の携帯電話のメッセージ生成部に文字色、背景色、文字ブリンクを与えるメッセージ属性生成部をさらに加えた文字メッセージの生成装置を提供することを目的とする。
本発明は、文字情報と属性情報を有する文字メッセージの作成方法を提供することを他の目的とする。
【課題を解決するための手段】
【０００４】
上記の目的を達成するため、本発明による携帯電話端末向けの文字メッセージに属性情報（文字色、背景色、ブリンク）を含める文字メッセージの生成装置は、文字入力手段から出力されて入力された文字コードを組み合わせて第１のメッセージ信号を生成するメッセージ生成手段と、文字色に割り当てられている複数の色相値のうちユーザが選択した一つの色相値を文字色属性値として選択する文字色選択手段と、背景色に割り当てられている複数の色相値のうちユーザが選択した一つの色相値を背景色属性値として選択する背景色選択手段と、複数のブリンクモードのうちユーザが選択した一つのブリンクモードをブリンク属性値として選択するブリンク選択手段と、前記文字色選択手段、背景色選択手段、ブリンク選択手段から出力されて入力された属性値を組み合わせて第２のメッセージ信号を生成するメッセージ属性生成手段と、前記第１のメッセージ信号と第２のメッセージ信号を伝送する伝送手段とを備えることを特徴とする。
また、前記第１のメッセージ信号が、ＩＤまたは固有番号を含むヘッダ部と、ＡＳＣII値からなるメッセージデータ部とからなり、前記第２のメッセージ信号が、ＩＤまたは固有番号を含むヘッダ部と、文字色／背景色／ブリンクの属性情報部とからなることが好ましい。
さらに、前記伝送手段が、前記第１のメッセージと第２のメッセージの信号を伝送する場合において、第１のメッセージ信号を伝送してから第２のメッセージ信号を伝送してもよく、第１のメッセージと第２のメッセージの信号を同時に伝送してもよい。
また、前記ブリンク選択手段により選択されるブリンクモードが、ブリンクしないモードと、文字メッセージの奇数番目字でブリンクするモードと、文字メッセージの偶数番目字でブリンクするモードとからなることが好ましい。
また、前記背景色選択手段が、メモリに格納された複数の背景画面のインデックス値のうちユーザが選択した背景画面のインデックス値を背景画面の属性値として選択する背景画面選択手段を備えることが好ましい。
さらに、本発明による携帯電話端末向けの文字メッセージに属性情報（文字色、背景色、ブリンク）を含める文字メッセージの作成方法は、次のとおりである。特に、本発明は、携帯電話端末の特性を考慮し、従来のＳＭＳとの互換性を維持するようにしたものである。
また、ＡＳＣIIコードは、全てのＩＴ業界において標準として用いる文字表記方式であり、このようなＡＳＣIIコードには、画面上には表示されず、制御用として用いられるコードがある。これを非印刷コードまたは非印刷文字（Non-printable code or character）といい、これらの非印刷コードは、０ｘ０１〜０ｘ１Ｆまでの領域を占めている。ところで、これらのコードが、ＰＣでは制御用として用いられてそれぞれの役割をしているが、携帯電話では何らの役割をしていない。このため、この非印刷コードを携帯電話に伝送すると、画面に表示されないだけでなく、何らのアクションも起こらない。従って、携帯電話の文字メッセージサービスにおける文字色、背景画面、文字ブリンク等の属性情報を伝送する方法としてこの非印刷コードを用いると、従来のＳＭＳと互換性を維持するという利点がある。
さらに、本発明による文字メッセージデータの作成方法は、ユーザが入力した文字列により文字情報を形成するステップと、前記文字列に次いで属性情報の開始を表示する識別子を挿入するステップと、前記識別子に次いでＡＳＣIIコードの非印刷コード領域から選択される属性値（文字ブリンク値と文字色値）を挿入するステップとを含むことを特徴とする。
また、前記文字情報に複数の背景画面の一つを選択するインデックス値を挿入するステップがさらに含まれてもよい。
また、前記属性値が、１バイトのデータ列のうち上位３ビットを除いた残りの５ビットに割り当てられることを特徴とする。さらに、前記属性値のうち文字ブリンク値が１ビットで、文字色値が２ビットで割り当てることができる。
【発明を実施するための最良の形態】
【０００５】
以下、本発明の好ましい実施の形態を、添付図面に基づいて詳しく説明する。
文字メッセージの生成装置
図２-aは、この実施の形態をユーザインターフェース（ＵＩ）を用いて具体的に説明しており、（イ）従来のように、メインメニュー窓から送信メッセージ２１を選択すると、（ロ）メール作成メニューと、別途にカラーメール作成２２メニューが表示され、（ハ）ここで、カラーメール作成２２メニューと新規作成２３メニューを選択すると、カラーメッセージ作成窓２４が表示される。
図２-bは、カラーメッセージ作成窓２４の例示図であり、「エムブリッジ株式会社」というメッセージを作成する例を示している。カラーメッセージ作成窓２４の下段にメニューバー２５が設けられており、本発明において、メニューバーにはハングル／英語切替え、大小文字切替え、特殊文字等の一般のメニューのほか、「色」メニュー２６が含まれている。メニューバー２５において色メニュー２６を選択すると、図２-cに示すような色相選択窓２７が表示される。
この色相選択窓２７では、文字色２８と背景色２９として、それぞれ色１〜色Ｎのうち１つを選択することができ、文字ブリンク（以下、「ブリンク」という）３０としてモード１〜モードＫのうち１つを選択することができる。ブリンクモードは設計者が任意で決定することができる。例えば、ブリンクしないモード、奇数番目字でブリンクするモード、偶数番目字でブリンクするモード、ブリンク速度の可変等を設計者が決定することができる。
文字色２８、背景色２９、ブリンク３０の選択は、端末機に含まれている任意のキーを用いて行うことができる。例えば、文字色２８と背景色２９の選択は、端末機の側面にあるスクロールボタン（図２-dの３１、３２）を用い、上位ボタン３１では文字色を選択し、下位ボタン３２では背景色を選択することができるように、色１〜色Ｎをスクロールするように設計することができる。また、ブリンクモード３０の選択は、端末機のキーパッド上の左右移動ボタン（図２-dの３３、３４）で行うことができる。しかし、選択手段が前記スクロールボタンと左右移動ボタンに限られるものではない。スクロールボタン３１、３２のほか、他の任意のキーがその用途として用いられることは、当業者にとって自明なことである。また、図２-eに示すように、上下左右カーソルキー３５付き端末機の場合は、これを用いて前記色相選択窓２７を運用することができる。
図３は、文字メッセージ生成装置の実施の形態の構成図を示し、図４-a、図４-bは、本発明による文字メッセージのデータ形式を示す。
図３において、メッセージ生成部４１と文字入力部４３とメモリ４５は、従来の文字メッセージ装置にもある構成要素である。本発明では、メッセージ属性生成部４７と、文字色選択部４９と、背景色選択部５１と、ブリンク選択部５３と、伝送部５５とがさらに設けられている。
前記メモリ４５には、文字メッセージの生成とメッセージ属性（文字色、背景色、ブリンク）の生成のための基礎データが格納されている。
前記メッセージ生成部４１は、メモリ４５を参照して文字入力部４３から入力される文字コードを組み合わせることにより第１のメッセージを生成する。ここで、第１のメッセージは、一般のＳＭＳ装置と同一の作用により生成され、ＡＳＣII値で構成される。図４-aの（イ）には、第１のメッセージのデータフォーマットを示している。ＩＤと固有番号（Ｎｕｍ）を含むヘッダ部と、ＡＳＣII値からなるメッセージデータ部とでフィールド構成されていることがわかる。
前記メッセージ属性生成部４７は、文字色選択部４９と、背景色選択部５１と、ブリンク選択部５３とから選択された各属性値を入力され、メモリ４５を参照して各属性データを組み合わせて第２のメッセージを生成する。各属性（文字色、背景色、ブリンク）毎に固有コードを与え、様々な色相毎にＩＤを付けることにより属性データを生成することができる。ブリンクモードは、予め様々なモードで設計してメモリ４５に格納しておく。図４-aの（ロ）には、第２のメッセージのデータフォーマットを示している。ヘッダ部と、文字色／背景色／ブリンクの属性情報部とで構成されていることがわかる。第２のメッセージのヘッダ部のＩＤまたは固有番号（Ｎｕｍ）は、第１のメッセージのそれと一致しなければならない。
図４-bを参照して、第１のメッセージと第２のメッセージの具体的な情報生成方法の例示を説明する。図４-bにおいて、メッセージの例文として「好きです」を用い、背景色として８色を、文字色として８色を選択することができ、ブリンクとしては３つのモード（ブリンク無し、奇数番目字ブリンク、偶数番目字ブリンク）を選択することができると仮定する。従来のＳＭＳでは、一つの背景色に一つの文字色のみが存在するので、別途の情報が必要でないが（従って、図４-bの（イ）第１のメッセージは従来のＳＭＳメッセージと同じである）、本発明では、各文字色、背景色、ブリンクに関する情報がさらに要求される。即ち、ハングル１字２バイト、英語アルファベット１字及びＡＳＣIIコード一つ１バイトが、従来の文字メッセージにおいて必要とするデータサイズであれば、本発明の文字メッセージではそれぞれに相応するだけの情報データのサイズが必要となる。図４-bの（ロ）第２のメッセージに「好」の１文字に対して背景色３ビット、文字色３ビット、ブリンク２ビット（合計１バイト）がさらに割り当てられていることがわかる。英文及びＡＳＣIIコードは１バイトが所要するので、１バイトで対応されるが、ハングルやその他の特殊文字は２バイトが所要するので、同じ内容の１バイトを重複して２バイトで対応させることができる。つまり、それぞれの文字がそれぞれの同じサイズの情報と対応するようになる。また、背景色や文字色はそれぞれ８つの色まで可能であるので、それぞれ３ビットが所要される。但し、背景色は２番目以降のデータに対しては適用する必要がないので、１番目の１バイトのうち上位３ビットにのみ含まれるとよい。ブリンクは、３つのモードであるので、２ビットが所要される。
さらに図３に戻って、伝送部５５は、前記第１のメッセージと第２のメッセージを伝送する役割をするが、本発明では、メモリ４５に格納されている第１／第２の２つのメッセージを同報伝送時に用いられる方式を用いて２回伝送する。即ち、第１のメッセージは純粋なテキストメッセージとして先に伝送され、第２のメッセージはテキストに対応する情報データとして後で伝送される。この場合、従来の方式を用いると２回にわたってそれぞれ伝送しなければならないので、同じ受信者番号（destination address）に伝送されるようにアドレスを指定しなければならない。
また、ＣＤＭＡ環境で用いるＳＭＳの場合、セルラー方式の「ＳＫテレコム」の場合は８０バイト、ＰＣＳ方式の「ＫＴＦ」や「ＬＧテレコム」の場合は９０バイトの領域をユーザが用いて文字を伝送するようになっているので、背景画面及び文字の属性値を文字列と共に伝送するためには、より多くのユーザ領域が必要となり、上述のように、第１のメッセージと第２のメッセージを２回にわけて伝送しなければならないが、ＬＭＳ（Long Message Service）のように多くの文字量が伝送可能な装置を無線網事業者が構築すると、メッセージを２回にわけて伝送することなく、１回の伝送で全ての情報を伝達することができる。また、この場合は、第１のメッセージと第２のメッセージを別個に生成せず、１つのメッセージに文字メッセージとメッセージ属性を共に含めて生成することができる。
以下、受信側の作用について説明する。伝送部５５で伝送された第１のメッセージは、先ず、相手方の端末機の受信部で受信され、従来のＳＭＳのように格納され、格納されたデータをディスプレーする（この場合、第２のメッセージの情報データがないので、従来のＳＭＳのように表示される）。次に、後で受信された第２のメッセージでは、第１のメッセージのデータ領域の終わりのアドレスを有しており、第２のメッセージが受信されると、第２のメッセージのヘッダ情報を全て切り出した後、純粋なメッセージ属性情報のみを、以前に記憶していたアドレスの後に連続して格納する。このようにして第２のメッセージの格納が完了すると、第１のメッセージの後部をチェックしてメッセージ属性情報が格納されている場合は、テキストと属性データを組み合わせて端末機の表示部から文字色、背景色、ブリンクが適用された本発明によるメッセージを表示するようになる。
以上、本発明の好ましい一実施の形態を説明しているが、本発明の技術的思想は、前記実施の形態に限られるものではなく、特許請求の範囲により解釈される範囲内で判断されなければならない。例えば、上述の背景色選択手段の原理を拡張して、複数の背景画面をメモリに格納しておき、複数の背景画面のインデックス値のうちユーザが選択した背景画面のインデックス値を背景画面の属性値として選択する背景画面選択手段を含める応用（いわば、便せんの概念である）も、本発明の技術範囲内で容易に変形可能な実施の形態となるものである。
文字メッセージの作成方法
本発明による文字メッセージの作成方法は、上述した文字メッセージの生成装置を用いた、文字情報と属性情報を有するメッセージの作成方法の一例に関する。
先ず、文字メッセージの作成方法の実施の形態を説明する前に、本発明により生成された携帯電話文字メッセージのデータ構成について説明する。図４-cを参照して、この文字メッセージは文字列、識別子、属性情報で構成され、図４-dを参照して、文字列、識別子、背景画面インデックス値、属性情報で構成されていることがわかる。
本発明による文字メッセージの作成方法は、図４-cと図４-dのように構成される文字メッセージデータの作成方法であって、属性情報は文字色値と文字ブリンク値を含み、背景画面インデックス値の挿入は選択的に行われてもよい。
図５を参照して、本発明による方法を具体的に説明する。
先ず、ユーザが文字メッセージサービスを用いるために、携帯電話に設けられているメニューに入って文字を入力すると〔２１’〕、携帯電話内部のプロセッサでは入力された文字列で決められた約束により文字情報を形成する〔２３’〕。
形成された文字情報の後部に次いで属性情報の開始を示す識別子を挿入する〔２５’〕。ここで、識別子とは、文字情報に次いで文字色、文字ブリンク、背景画面等の属性情報があることを知らせるためのビットを意味する。
次に、前記識別子に次いで文字ブリンク値と文字色値（この２つの値を属性情報と定義する）を挿入する〔２７’〕。但し、これらの値は携帯電話で用いられていないＡＳＣIIコードのうち非印刷コード領域から選択される。
このような属性情報は、ＡＳＣIIコードのうち非印刷コード領域、即ち、０ｘ０１〜０ｘ１Ｆ値のみを用いるため、１バイトのうち５ビットのみが使用可能である（図６-a参照）。従って、本発明では、非印刷コードに属性値をマップするために、上位３ビットは常時二進数の０で維持され、残りの５ビットを用いて属性値を示す方式を用いた。これらの５ビットのうち、各文字毎に３ビットの属性値を割り当てている（３ビットのうち、文字ブリンク値は１ビット、文字色値は２ビットとした）。従って、文字色は２2＝４個の色相の選択が可能となる。
このように文字毎の属性値が３ビットであるため、非印刷コード領域において使用可能な５ビットを完全に活用すると、図６-bに示すような方式で属性値が配列される。即ち、１バイトのうち最上位の３ビットを除いた残りの５ビットのうち、３ビットずつの属性値が各バイトにわたって順に配列される。図６-bでは、属性値を３ビットで挿入しているが、これに限られるものではなく、当業者の設計上、必要に応じて任意で設定することができることは勿論である。
また、図５のプロセスに、図４-dの文字メッセージのデータ構成でのような背景画面インデックス値を挿入するステップがさらに含まれてもよい。背景画面インデックス値として２バイトを用いると、２10＝１０２４個の背景画面を選択することができる。
【産業上の利用可能性】
【０００６】
以上のように、本発明によると、従来の単色で無味乾燥な文字メッセージから外れて、ユーザにより一層興味深い文字メッセージサービスを提供することができる。また、文字色、背景色、ブリンク機能を効果的に用いて、広告、案内文等の伝達効果を増やすことができる。さらに、携帯電話で用いていない非印刷コードを用いて属性情報を含めるので、従来の文字メッセージサービスとも互換性を有することができる。
【図面の簡単な説明】
【０００７】
【図１】従来の文字メッセージの作成方法のＵＩ説明図である。
【図２−ａ】本発明による文字メッセージの生成装置のメッセージ作成の説明図である。
【図２−ｂ】本発明による文字メッセージの生成装置のメッセージ作成の説明図である。
【図２−ｃ】本発明による文字メッセージの生成装置のメッセージ作成の説明図である。
【図２−ｄ】本発明による文字メッセージの生成装置のメッセージ作成の説明図である。
【図２−ｅ】本発明による文字メッセージの生成装置のメッセージ作成の説明図である。
【図３】本発明による文字メッセージの生成装置の構成図である。
【図４−ａ】本発明による文字メッセージデータの構成図である。
【図４−ｂ】本発明による文字メッセージデータの構成図である。
【図４−ｃ】本発明による文字メッセージデータの構成図である。
【図４−ｄ】本発明による文字メッセージデータの構成図である。
【図５】本発明による文字メッセージの作成方法を示すフローチャートである。
【図６−ａ】本発明による文字メッセージの作成方法に適用される、属性値の１バイト当たり占有ビットを示す図である。
【図６−ｂ】本発明による文字メッセージの作成方法に適用される、３バイトの属性情報を割り当てた例を示す図である。
【図１】
2005507601.tif 000003
【図２−ａ】
2005507601.tif 000004
【図２−ｂ】
2005507601.tif 000005
【図２−ｃ】
2005507601.tif 000006
【図２−ｄ】
2005507601.tif 000007
【図２−ｅ】
2005507601.tif 000008
【図３】
2005507601.tif 000009
【図４−ａ】
2005507601.tif 000010
【図４−ｂ】
2005507601.tif 000011
【図４−ｃ】
2005507601.tif 000012
【図４−ｄ】
2005507601.tif 000013
【図５】
2005507601.tif 000014
【図６−ａ】
2005507601.tif 000015
【図６−ｂ】
2005507601.tif 000016
【国際公開パンフレット】
2005507601.tif 000017
2005507601.tif 000018
2005507601.tif 000019
2005507601.tif 000020
2005507601.tif 000021
2005507601.tif 000022
2005507601.tif 000023
2005507601.tif 000024
2005507601.tif 000025
2005507601.tif 000026
2005507601.tif 000027
2005507601.tif 000028
2005507601.tif 000029
2005507601.tif 000030
2005507601.tif 000031
2005507601.tif 000032
2005507601.tif 000033
2005507601.tif 000034
2005507601.tif 000035
2005507601.tif 000036
2005507601.tif 000037
2005507601.tif 000038
2005507601.tif 000039
2005507601.tif 000040
【国際調査報告】
2005507601.tif 000041